(57)【特許請求の範囲】
【請求項１】
槽内を仕切壁で仕切った浄化槽において、槽から槽へと循環させる移行装置をエアリフトポンプ方式となし、このエアリフトポンプが、外管と、内管と、前記エアリフトポンプの吸い込み口に設けられた絞り部を備え、上記絞り部が、内管に対し支持材により懸垂され、内管の引き上げに伴い引き上げられる汚水浄化槽。
【請求項２】
請求項１において、仕切壁が、槽内を上流側から、嫌気濾床槽、好気濾床槽、処理水槽又は沈殿槽、消毒槽の順に仕切る汚水浄化槽。
【請求項３】
請求項１又は２において、移行装置が、好気濾床槽、処理水槽又は沈殿槽の槽内水を嫌気濾床槽へと循環させる汚水浄化槽。
【発明の詳細な説明】
【０００１】
【発明の属する技術分野】
本発明は、し尿及び家庭用排水を処理する汚水浄化槽であって、特には、槽内水の移行装置に関する。
【０００２】
【従来の技術】
従来から用いられてきた汚水浄化槽について、図３を用いて説明すると、汚水浄化槽１は、仕切壁２、３、４、５にて仕切られ、上流側から嫌気濾床槽第１室６、嫌気濾床槽第２室７、好気濾床槽８、処理水槽９（沈殿槽の場合もある）、消毒槽１０の順に配列されている。そして、処理水質の安定化及び窒素除去のために、処理水槽９の槽内水をエアリフトポンプ１１により汲み上げ、嫌気濾床槽第１室６へ循環（返送）させている。循環させるのは、図３に示すような処理水槽９の槽内水に限定されるものではなく、他に好気濾床槽８又は沈殿槽の槽内水の場合もある。
【０００３】
前記処理水槽９から嫌気濾床槽第１室６へ循環させる水量は、極めて少ない（数リットル／分）ため、市販の水中ポンプが使用できず、空気を推進力とするエアリフトポンプ１１を使用して揚水し循環している。
【０００４】
エアリフトポンプ１１には、図４に示すとおり、その上部に循環水量を調整する分配計量装置１２が設置されている。エアリフトポンプ１１の揚水の仕組みは、内管１３より送風された空気１４がその底部から吐出され、外管１５と内管１３との間を上昇し、その際に前記外管１５外部の槽内水１６も吸引されて分配計量装置１２に揚水されるようになっている。
【０００５】
前記分配計量装置１２は、循環水１８を計量する三角堰１７と、循環水量を調整する戻り堰１９から形成される。槽内水１６はエアリフトポンプ１１により過剰に揚水され、必要な循環水量のみを三角堰１７から越流させる。前記循環水量の調整は戻り堰１９の高さを変化させることにより行い、余剰水２０は戻り堰１９から越流させて揚水した元の槽に戻すものである。
【０００６】
【発明が解決しようとする課題】
従来技術において、槽内水１６を過剰に揚水する目的は、必要水量のみを揚水する場合、外管１５と内管１３との隙間幅を変化させ、即ち抵抗を変えることにより揚水量を調整する必要があり、移行水量が数リットル／分のような少ないレベルでは、隙間幅が著しく小さくなるために、汚泥などにより隙間が部分的に閉塞して、揚水ができないといった現象を避けるためである。
【０００７】
そのため、前述したような分配計量装置１２をエアリフトポンプ１１に設置して対応している。しかし、循環水量の設定は戻り堰１９の高さの微調整と三角堰１７から越流する循環水１８を容器を用いて測定しつつ行うため、著しく煩雑な作業となっている。又、前記戻り堰１９の高さの微調整ができたとしても、三角堰１７及び戻り堰１９には汚泥が付着しやすく、汚泥の付着量により各堰の高さも変化してしまうために、結果として循環水量が初期設定と異なり、安定した移行ができないといった課題がある。
【０００８】
本発明は、以上のような課題に鑑み、従来から使用している分配計量装置１２を不要とすると共に、数リットル／分程度の少ない循環水量の移行が安定して行いえる移行装置を内蔵した汚水浄化槽を提供することを目的とする。
【０００９】
【課題を解決するための手段】
本発明は、図２及び図３に示すように、以下の構成を有する。
（１）  槽内を仕切壁で仕切った浄化槽において、槽から槽へと循環させる移行装置をエアリフトポンプ方式となし、このエアリフトポンプが、外管と、内管と、前記エアリフトポンプの吸い込み口に設けられた絞り部を備え、上記絞り部が、内管に対し支持材により懸垂され、内管の引き上げに伴い引き上げられる汚水浄化槽。
（２）  （１）において、仕切壁が、槽内を上流側から、嫌気濾床槽、好気濾床槽、処理水槽又は沈殿槽、消毒槽の順に仕切る汚水浄化槽。
（３）  （１）又は（２）において、移行装置が、好気濾床槽、処理水槽又は沈殿槽の槽内水を嫌気濾床槽へと循環させる汚水浄化槽。
【００１１】
【発明の実施の形態】
エアリフトポンプ１１の揚水量は、水面とその下端との浸漬深さ、管径、揚程及び空気量で決定されるが、本発明で対象としているのはその揚水量が数リットル／分程度の極めて少ないレベルである。
【００１２】
通常、エアリフトポンプは、揚水量が多い領域で使用されるために、少揚水量の場合にはその調整が容易ではない。そこで、エアリフトポンプ１１自体には、過剰の揚水能力を持たせつつ、吸い込み口に絞り部２４（抵抗部）を設けることにより、目標の揚水量を得るようにしている。
【００１３】
絞り部２４の開口径φＤは任意に決定でき、目標揚水量に合わせて個々に変化させるものである。そして、絞り部２４はエアリフトポンプ１１の吸い込み口に設けられ、該エアリフトポンプ１１の内管１３と接続する支持材２５によって懸垂される。ここで該支持材２５は、挿入する空気１４の吐出と絞り部２４を経て上昇してくる槽内水１６の揚水に律速とならないように、絞り部２４の開口径φＤより大きい面積の通路を有する形状としている。
【００１４】
更に、本発明に用いるエアリフトポンプ１１の構造において、絞り部２４の開口径φＤを一定として揚水能力を低下させたい場合には、挿入する空気１４が内管１３から外管１５に向かって吐出する開放部、即ち、前記空気１４が内管１３から吐出する開放部を水深に対して、より浅い位置にすることで可能となる。
【００１５】
エアリフトポンプ１１の内管１３と外管１５との間、又は、支持材２５の通路、更には、絞り部２４に汚泥が付着し槽内水の揚水に支障が出たときは、内管１３を上下に移動することで汚泥の剥離除去ができる。更には、内管１３を引き上げれば、それと接続されている前記支持材２５及び絞り部２４も引き上げられるため、各部位を容易に清掃できる。これらの操作によって、安定した揚水が長期に渡って行いえる。
【００１６】
揚水した槽内水は全量を嫌気濾床槽へ移行させるが、図２に示すように、複数の嫌気濾床槽を有する場合には、処理時間を長くするために、流入口２９に最も近い嫌気濾床槽第１室６へ移行させることが好ましい。
【００１７】
【実施例】
以下、本発明の実施例について図面に沿って説明する。図２に示す汚水浄化槽１は、その槽内を仕切壁２、３、４、５にて仕切り、上流側から嫌気濾床槽第１室６、嫌気濾床槽第２室７、好気濾床槽８、処理水槽９、消毒槽１０の順に配置している。前記嫌気濾床槽第１室６及び嫌気濾床槽第２室７には、濾材２１、２２が設けられており、好気濾床槽８には微生物付着体２３が設けられている。
【００１８】
流入口２９から嫌気濾床槽第１室６に流入した汚水２８は、嫌気濾床槽第２室７、好気濾床槽８を経て処理され、さらに処理水槽９を経て消毒槽１０で滅菌され、流出口３０から処理水３１として系外に放流される。好気濾床槽８の底部から槽内水の一部は、処理水質の安定化と脱窒のためにエアリフトポンプ１１により揚水され、移行管２７によって、嫌気濾床槽第１室６へ循環（返送）される。
【００１９】
エアリフトポンプ１１について、図１（ａ）を使用し詳細に述べると、前記エアリフトポンプ１１は処理水槽９に設置され、その底部は仕切壁４を貫いて好気濾床槽８の底部と連通している。外部から挿入された空気１４は、内管１３下端の吐出部２６から吐出され支持材２５の通路を通り、外管１５と前記内管１３の間を上昇する。前記空気１４が上昇する推進力は、好気濾床槽８底部から該槽内水１６を絞り部２４及び支持材２５の通路を経て、外管１５と内管１３の間を上昇させ揚水する。揚水された水は、移行管２７から循環水１８として嫌気濾床槽第１室６へ移行される。
【００２０】
エアリフトポンプ１１は、所定量以上の空気を挿入すると、脈動がない安定した状態で揚水を行なう性質があり、本発明においても必要以上の揚水能力を得るように過剰の空気１４を送りこんでいる。しかし、前記エアリフトポンプ１１の吸い込み部、即ち、外管１５の下端には、予めφＤの開口を有する絞り部２４を内管１３に懸垂して設けているために、必要量の揚水を安定して得ることができる。
【００２１】
図１（ｂ）は、本発明の別の実施例であるエアリフトポンプ１１であり、内管１３に挿入する空気１４の吐出部２６を内管１３の下端より上側に設けた場合を示す。即ち、挿入する空気１４は、内管１３の下端より上側にある吐出部２６から吐出されるようにしてある。尚、支持材２５を介して内管１３に懸垂される絞り部２４は、内管１３の下端から吐出する場合と同じ位置に設けられる。
【００２２】
【発明の効果】
以上説明したとおり、本発明によれば、従来分配計量装置を使用していたために、移行水量の調整と安定性に課題があったが、開口を有する絞り部を移動できるように配置することにより、分配計量装置を使用することなく、少ない揚水量でも安定した移行を行なうことが可能となった。
【図面の簡単な説明】
【図１】本発明の要部であるエアリフトポンプであり、（ａ）は断面図を示し、（ｂ）は他の実施例の断面図を示す。
【図２】本発明の実施例を示す汚水浄化槽であり、（ａ）は水平方向断面図を示し、（ｂ）は（ａ）のＡ−Ａ断面図を示す。
【図３】従来の汚水浄化槽を示す断面図である。
【図４】従来使用されていた分配計量装置の斜視図である。
【符号の説明】
１．汚水浄化槽  ２．仕切壁  ３．仕切壁  ４．仕切壁  ５．仕切壁  ６．嫌気濾床槽第１室  ７．嫌気濾床槽第２室  ８．好気濾床槽  ９．処理水槽  １０．消毒槽  １１．エアリフトポンプ  １２．分配計量装置  １３．内管  １４．空気  １５．外管  １６．槽内水  １７．三角堰  １８．循環水  １９．戻り堰  ２０．余剰水  ２１．濾材  ２２．濾材  ２３．微生物付着体  ２４． 絞り部２５．支持材  ２６．吐出部  ２７．移行管  ２８．汚水  ２９．流入口  ３０．流出口  ３１．処理水
【図１】
0003975373.tif 000002
【図２】
0003975373.tif 000003
【図３】
0003975373.tif 000004
【図４】
0003975373.tif 000005